(57)【要約】【課題】  バックライトアセンブリ及びこれを有する表示装置が開示される。【解決手段】  バックライトアセンブリは底面及び底面から延長された側壁を含む収納容器、側壁に結合される第１面及び第１面から底面と実質的に平行に延長された第２面を含むモールドフレーム、底面、側壁及び第２面と平行に配置されたランプカバー、ランプカバーに収納されたランプを含むランプアセンブリ、モールドフレームと収納容器との間に介在されランプから発生した光の光学特性を変更する光学モジュール及び収納容器、ランプカバー及びモールドフレームを順次に締結するための締結部及び締結部材を含む。これにより、バックライトアセンブリを組立するに必要な組立工程数及び組立時間をより短縮させるという効果を有する。【選択図】    図１
2006004931.tif 000002
【特許請求の範囲】
【請求項１】
底面及び前記底面から延長された側壁を含む収納容器と、
前記側壁を囲む第１面及び前記第１面から前記底面とほぼ平行に延長された第２面を含むモールドフレームと、
前記収納容器に収納されるランプカバー、前記ランプカバーに収納されたランプを含むランプアセンブリと、
前記モールドフレームと収納容器との間に介在され、前記ランプから発生した光の光学特性を変更する光学モジュールと、
前記収納容器、前記ランプカバー、及び前記モールドフレームの結合部と結合して、前記収納容器、前記ランプカバー、及び前記モールドフレームを締結する締結手段と、を含むバックライトアセンブリ。
【請求項２】
前記ランプカバーは、前記底面と平行な第１光反射面、前記第２面と平行な第２光反射面、及び前記側壁に沿って配置され前記第１及び第２光反射面を連結する第３光反射面を含むことを特徴とする請求項１記載のバックライトアセンブリ。
【請求項３】
前記第１光反射面の第１幅は、前記第２光反射面の第２幅より広いことを特徴とする請求項２記載のバックライトアセンブリ。
【請求項４】
前記締結手段は、前記第１光反射面に形成された第１結合孔、前記第１結合孔と向かい合う前記底面に形成された第２結合孔、前記第２面に形成された結合ボス、前記第１及び第２結合孔と前記結合ボスを締結するための締結部材で構成されることを特徴とする請求項３記載のバックライトアセンブリ。
【請求項５】
前記結合ボスは、前記第１光反射面に接触することを特徴とする請求項４記載のバックライトアセンブリ。
【請求項６】
前記締結部材は、締結ねじであることを特徴とする請求項４記載のバックライトアセンブリ。
【請求項７】
前記結合ボスには、前記第１及び第２結合孔と向かい合う第３結合孔が形成されることを特徴とする請求項４記載のバックライトアセンブリ。
【請求項８】
前記ランプアセンブリは前記ランプに挿入され、前記ランプカバーに結合されたランプホルダーを更に含み、前記第１貫通孔は前記ランプホルダーの周辺に形成されることを特徴とする請求項４記載のバックライトアセンブリ。
【請求項９】
前記第２光反射面の第１幅は、前記第１光反射面の第２幅より広いことを特徴とする請求項２記載のバックライトアセンブリ。
【請求項１０】
前記締結手段は、前記第２光反射面に形成された第１結合孔、前記第１結合孔と向かい合う前記第２面に形成された第２結合孔、前記底面から前記第１結合孔まで延長された結合ボス、前記第１及び第２結合孔と前記結合ボスとを締結する締結部材で構成されることを特徴とする請求項９記載のバックライトアセンブリ。
【請求項１１】
前記結合ボスは、前記第２光反射面に接触することを特徴とする請求項１０記載のバックライトアセンブリ。
【請求項１２】
前記結合ボスには、前記第１及び第２結合孔と向かい合う第３結合孔が形成されることを特徴とする請求項１０記載のバックライトアセンブリ。
【請求項１３】
前記ランプアセンブリは前記ランプに挿入され、前記ランプカバーに結合されるランプホルダーを更に含み、前記第２貫通孔は前記ランプホルダーの周辺に形成されることを特徴とする請求項１０記載のバックライトアセンブリ。
【請求項１４】
前記請求項１〜１３のいずれかに記載のバックライトアセンブリと、
前記モールドフレームに配置され、前記ランプ及び前記光学モジュールから出射された光を情報が含まれたイメージ光に変更させる表示パネルと、
を含む表示装置。
【発明の詳細な説明】
【技術分野】
【０００１】
本発明は、バックライトアセンブリ及びこれを有する表示装置に関し、より詳細には、本発明は組立工程数をより減少させ、機械的な強度を向上させたバックライトアセンブリ及びこれを有する表示装置に関する。
【背景技術】
【０００２】
最近、表示装置、例えば、液晶表示装置の技術開発が急速に進行されつつある。
液晶表示装置は、電界によって配置が変更される電気的特性、及び配置によって光の透過率が変更される光学的特性を有する液晶によって画像を表示する。
画像を表示するために、液晶表示装置は液晶を制御する表示パネル、及び液晶に光を供給するバックライトアセンブリを含む。
【０００３】
これらのうち、従来のバックライトアセンブリは収納容器、光を発生するためのランプアセンブリ、光の光学的特性を変更させる光学部材、及び収納容器に結合されランプアセンブリ及び光学部材を固定させるモールドフレームを含む。
従来のバックライトアセンブリは、収納容器、ランプアセンブリ、及びモールドフレームを堅固に固定するために、収納容器とランプアセンブリ、収納容器とモールドフレームをそれぞれ締結する。
【発明の開示】
【発明が解決しようとする課題】
【０００４】
しかし、このように収納容器とランプアセンブリ、収納容器とミドルシャーシをそれぞれ締結することで組立工程数が大幅に増加される。また、組立工程数の増加によって組立時間が増加されるという問題点を発生させる。
従って、本発明はこのような従来の問題点を勘案したもので、本発明の目的は、組立工程数及び組立時間を大きく短縮させ、機械的な強度は向上させたバックライトアセンブリを提供することにある。
【０００５】
また、本発明の他の目的は、前記バックライトアセンブリを含む表示装置を提供することにある。
【課題を解決するための手段】
【０００６】
このような本発明の目的を具現するために、本発明によるバックライトアセンブリは、底面及び底面から延長された側壁を含む収納容器、側壁に結合される第１面及び第１面から底面と実質的に平行に延長された第２面を含むモールドフレーム、底面、側壁、及び第２面と平行に配置されたランプカバー、及びランプカバーに収納されたランプを含むランプアセンブリ、モールドフレームと収納容器との間に介在されランプから発生した光の光学特性を変更する光学モジュール、及び収納容器、ランプカバー、及びモールドフレームを締結する締結部及び締結部材を含む。
【０００７】
本発明によるバックライトアセンブリは、収納容器、モールドフレーム、ランプアセンブリ、光学モジュール、締結部、及び締結部材を含む。
収納容器は、底面及び底面から延長された側壁を含み、モールドフレームは側壁に結合される第１面及び第１面から底面と実質的に平行に延長された第２面を含む。
ランプアセンブリは、下部面、側壁、及び第２面と平行に配置された上部面を有するランプカバー、ランプカバーに収納されたランプを含み、光学モジュールは、モールドフレームと収納容器との間に介在されランプから発生した光の光学特性を変更する。
【０００８】
締結部は、収納容器、ランプアセンブリ、及びモールドフレームに形成され、ねじのような締結部材によって収納容器、ランプアセンブリ、及びモールドフレームが一度の組立工程によって相互締結されることができるようにする。
また、本発明の他の目的を具現するために、本発明による表示装置は、底面及び底面から延長された側壁を含む収納容器、側壁に結合された第１面及び第１面から底面に向かって底面と実質的に平行に延長された第２面を含むモールドフレーム、底面、側壁及び第２面に沿って配置されたランプカバー、ランプカバーに収納されたランプを含むランプアセンブリ、モールドフレーム及び収納容器との間に介在されランプから発生した光の光学特性を変更する光学モジュール、収納容器、ランプカバー及びモールドフレームを締結する締結部及び締結部材、モールドフレームに配置されランプ及び光学モジュールから出射された光を情報が含まれたイメージ光に変更させる表示パネルを含む。
【０００９】
本発明による表示装置は、収納容器、モールドフレーム、ランプアセンブリ、光学モジュール、締結部、締結部材、及び表示パネルを含む。
収納容器は、底面及び底面から延長された側壁を含み、モールドフレームは側壁に結合される第１面及び第１面から底面と実質的に平行に延長された第２面を含む。
ランプアセンブリは、底面、側壁、及び第２面と平行に配置されたランプカバー、ランプカバーに収納されたランプを含み、光学モジュールは、モールドフレームと収納容器との間に介在されランプから発生した光の光学特性を変更する。
【００１０】
締結部は、収納容器、ランプアセンブリ、及びモールドフレームに形成され、ねじのような締結部材によって収納容器、ランプアセンブリ、及びモールドフレームが一度の組立工程によって相互締結されることができるようにする。
表示パネルはモールドフレームに配置され、ランプ及び光学モジュールを通過した光を情報が含まれたイメージ光に変更させる。
【発明を実施するための最良の形態】
【００１１】
以下、図面を参照して本発明の望ましい一実施例をより詳細に説明する。
（実施例１）
図１は、本発明の第１実施例によるバックライトアセンブリの分解斜視図である。図２は、図１の収納容器を示す斜視図である。
図１及び図２に示すように、バックライトアセンブリ１００は、収納容器１１０、モールドフレーム１２０、ランプアセンブリ１３０、光学モジュール１４０、収納容器１１０とモールドフレーム１２０とランプアセンブリ１３０とにそれぞれ形成された締結部及び締結部材１７０を含む。
【００１２】
収納容器１１０は、底面１１２及び第１乃至第４側壁１１３、１１４、１１５、１１６を含む。底面１１２は、例えば、直六面体プレート形状を有する。第１乃至第４側壁１１３、１１４、１１５、１１６は底面１１２のエッジから延長及び/または底面１１２のエッジに配置される。第１乃至第４側壁１１３、１１４、１１５、１１６によって底面１１２の上部には収納空間１１２ａが形成される。
【００１３】
本実施例において、相互向かい合う第２側壁１１４及び第４側壁１１６の一部は切開されている。切開された切開部１１４ａ、１１６ａは、第２側壁１１４及び第４側壁１１６から収納空間１１２ａの側に折曲される。このとき、切開部１１４ａ、１１６ａは実質的に第２側壁１１４及び第４側壁１１６に対して直角に折り曲げられる。収納容器１１０に形成された切開部１１４ａ、１１６ａは、後述される光学部材１４０が指定された位置から離脱されないようにする役割をする。
【００１４】
図３は、図１のモールドフレームの背面図である。
図１及び図３に示すように、モールドフレーム１２０は収納容器１１０に結合される。モールドフレーム１２０は第１面１２２及び第２面１２４を含む。
第１面１２２は、例えば、収納容器１１０の第１乃至第４側壁 １１３、１１４、１１５、１１６の外側面にそれぞれ結合される。第１面１２２は、収納容器１１０の第１乃至第４側壁１１３、１１４、１１５、１１６と結合するためのフック（ｈｏｏｋ）をさらに含むことができる。第２面１２４は、収納容器１１０の底面１１２と向かい合うように第１面１２２から収納容器１１０の底面１１２と平行な方向に延長される。第２面１２４は内部に開口１２２ａが形成され、従って、第２面１２４は開口１２２ａを有する四角フレーム形状を有する。
【００１５】
図４は図１のランプアセンブリを示す斜視図である。
図１及び図４に示すように、ランプアセンブリ１３０はランプカバー１３４及びランプ１３５を含む。望ましくは、ランプアセンブリ１３０はランプホルダー１３６を選択的にさらに含むことができる。
ランプカバー１３４は、収納容器１１０の収納空間１１２ａに配置され、ランプ１３５から放射状に発生した光を集光して一側方向に出射する。
【００１６】
本実施例において、ランプカバー１３４は、第１光反射面１３１、第２光反射面１３２、及び第３光反射面１３３を含む。
第１光反射面１３１はプレート形状に収納容器１１０の底面１１２と平行に配置され、第２光反射面１３２はモールドフレーム１２０の第２面１２４と平行に配置され、第３光反射面１３３は収納容器１１０の第１及び/または第３側面１１３，１１５と平行に配置される。第３光反射面１３３は、収納容器１１０の第１及び第３側面１１３、１１５と接触し、第１及び第２光反射面１３１、１３２を相互連結させる。
【００１７】
本実施例において、第１光反射面１３１の幅Ｗ１は第２光反射面１３２の幅Ｗ２より広く形成される。
ランプアセンブリ１３０のランプ１３５は、外部から印加された駆動電圧によって放射状に光を発生させ、本実施例でランプ１３５は円柱形状の冷陰極線管ランプを含む。
ランプ１３５はランプカバー１３４の内部に収納され、ランプ１３５から放射状に発生した光は、第１光反射面１３１、第２光反射面１３２、及び第３光反射面１３３で反射された後、第３光反射面１３３と向かい合う位置に出射される。
【００１８】
ランプ１３５をランプカバー１３４の指定された位置に固定させるために、ランプ１３５はランプホルダー１３６に固定されることができる。ランプホルダー１３６は直六面体形状を有し、ランプホルダー１３６にはランプ１３５が挿入されるランプ結合孔１３５ａが形成されている。ランプ１３５を固定するランプホルダー１３６はランプカバー１３４に固定される。
【００１９】
図１に示すように、収納容器１１０の収納空間１１２ａにはランプ１３５から発生した光の光学特性を変更させる光学モジュール１４０が配置される。光学モジュール１４０は反射板１４２、導光板１４４、及び光学シート類１４６を含むことができる。
反射板１４２は、収納容器１１０の底面１１２上に配置され、反射板１４２の上面にはランプカバー１３４から出射された光の光学分布及び光の進行方向を変更させる直六面体形状の導光板１４４が配置される。導光板１４４の上面には導光板１４４から出射された光を拡散及び集光する光学シート類１４６が配置される。
【００２０】
一方、前述した収納容器１１０、モールドフレーム１２０、及びランプアセンブリ１３０を相互堅固に締結するために、収納容器１１０、モールドフレーム１２０、及びランプアセンブリ１３０には締結部がそれぞれ形成され、収納容器１１０、モールドフレーム１２０、及びランプアセンブリ１３０は締結部に締結される締結部材１７０によって相互結合される。
【００２１】
図５は図１のI1−I2に沿って切断した断面図である。
図１及び図５に示すように、本実施例において、ランプアセンブリ１３０に形成される締結部は、収納容器１１０の底面１１２と向かい合うランプカバー１３４の第１光反射面１３１に形成される。望ましくは、ランプアセンブリ１３０の締結部は、ランプカバー１３４のランプホルダー１３６の周辺に形成された第１結合孔１３１ａである。
【００２２】
また、収納容器１１０に形成される締結部は、ランプカバー１３４の第１結合孔１３１ａと向かい合う収納容器１１０の底面１１２に形成される。望ましくは、収納容器１１０に形成される締結部は、第１結合孔１３１ａと向かい合う位置に形成された第２結合孔１１２ｂである。
また、モールドフレーム１２０に形成される締結部は第２面１２４に形成される。モールドフレーム１２０に形成された締結部は、締結ボス１２４ａで第２面１２４から第１結合孔１３１ａが形成されたランプカバー１３４の第１光反射面１３１まで延長される。ランプカバー１３４の第１光反射面１３１に接触された締結ボス１２４ａの端部には第１及び第２結合孔１３１ａ、１１２ｂと向かい合う第３結合孔１２４ｂが形成される。
【００２３】
図６は図５を組立した状態の断面図である。
図６に示すように、このようにランプアセンブリ１３０のランプカバー１３４の第１光反射面１３１に形成された第１結合孔１３１ａ、収納容器１１０に形成された第２結合孔１１２ｂ、モールドフレーム１２０の締結ボス１２４ａに形成された第３結合孔１２４ｂには、締結部材１７０である締結ねじが結合される。締結部材１７０によって収納容器１１０、ランプアセンブリ１３０、及びモールドフレーム１２０は順次に堅固に締結される。
【００２４】
以上で説明したように、収納容器の第２結合孔１１２ｂ、ランプカバー１３４の第１結合孔１３１ａ、及びモールドフレーム１２０の締結ボス１２４ａの第３結合孔１２４ｂは、収納容器、ランプアセンブリ、及びモールドフレームを組み合わせた場合、それらの位置が揃うように形成されている。また、ランプカバー１３４が収納容器１１０の切開部１１４ａ、１１６ａに嵌め込まれる。さらに、それらがモールドフレーム１２０の第１面１２２及び締結ボス１２４ａに嵌め込まれる。そして、収納容器の第２結合孔１１２ｂ、ランプカバー１３４の第１結合孔１３１ａ、及びモールドフレーム１２０の締結ボス１２４ａの第３結合孔１２４ｂを貫通するねじのような締結部材によって締結することにより、収納容器、ランプアセンブリ、及びモールドフレームを互いに固定することができる。このように部材が互いに嵌め込まれつつ共通の孔により締結される構成とすることで、バックライトアセンブリ及び表示装置の組立工程数及び組立に所要される時間を大きく短縮させることができる長所を有する。
（実施例２）
図７は、本発明の第２実施例によるバックライトアセンブリの分解斜視図である。図８は、図７の収納容器を示す斜視図である。
【００２５】
図７及び図８を参照すると、バックライトアセンブリ１００は、収納容器１１０、モールドフレーム１２０、ランプアセンブリ１３０、光学モジュール１４０、収納容器１１０とモールドフレーム１２０とランプアセンブリ１３０にそれぞれ形成された締結部及び締結部材を含む。
収納容器１１０は、底面１１２及び第１乃至第４側壁１１３、１１４、１１５、１１６を含む。底面１１２は、例えば、直六面体プレート形状を有する。第１乃至第４側壁１１３、１１４、１１５、１１６は、底面１１２のエッジから延長及び／又は底面１１２のエッジに配置される。第１乃至第４側壁１１３、１１４、１１５、１１６によって底面１１２の上部には収納空間１１２ａが形成される。
【００２６】
本実施例において、互いに向かい合う第２側壁１１４及び第４側壁１１６の一部は切開され、第２側壁１１４及び第４側壁１１６から切開された切開部１１４ａ、１１６ａは、収納空間１１２ａ側に 折曲される。この際、切開部１１４ａ、１１６ａは、ほぼ第２側壁１１４及び第４側壁１１６に対して直角に折曲される。収納容器１１０に形成された切開部１１４ａ、１１６ａは、後述される光学部材１４０が指定された位置から離脱されないようにする役割を果たす。
【００２７】
図９は、図７のモールドフレームの背面図である。
図７及び図９を参照すると、モールドフレーム１２０は、収納容器１１０に結合される。モールドフレーム１２０は、第１面１２２及び第２面１２４で構成される。
第１面１２２は、例えば、収納容器１１０の第１乃至第４側壁１１３、１１４、１１５、１１６の外側面にそれぞれ結合される。第１面１２２は、収納容器１１０の第１乃至第４側壁１１３、１１４、１１５、１１６と結合するためのフックを更に含むことができる。第２面１２４は、収納容器１１０の底面１１２と向かい合うように第１面１２２から収納容器１１０の底面１１２と平行な方向に延長される。第２面１２４は内部に開口１２２ａが形成され、従って、第２面１２４は開口１２２ａを有する四角フレーム形状を有する。
【００２８】
図１０は、図７のランプアセンブリを示す斜視図である。
図７及び図１０を参照すると、ランプアセンブリ１３０は、ランプカバー１３４及びランプ１３５を含む。好ましく、ランプアセンブリ１３０は、ランプホルダー１３６を選択的に更に含むことができる。
ランプカバー１３４は、収納容器１１０の収納空間１１２ａに配置され、ランプ１３５から放射状に発生した光を集光して一側方向に出射する。
【００２９】
本実施例において、ランプカバー１３５は、第１光反射面１３１、第２光反射面１３２、及び第３光反射面１３３を含む。
第１光反射面１３１は、プレート形状に収納容器１１０の底面１１２と平行に配置され、第２光反射面１３２はモールドフレーム１２０の第２面１２４と平行に配置され、第３光反射面１３３は収納容器１１０の第１及び第２側面１１３、１１５と平行に配置される。第３光反射面１３３は、収納容器１１０の第１及び第２側面１１３、１１５と接触され、第１及び第２光反射面１３１、１３２を互いに連結させる。
【００３０】
本実施例において、第１光反射面１３１の幅Ｗ１は、第２光反射面１３２の幅Ｗ２より広く形成される。
ランプアセンブリ１３０のランプ１３５は、外部から印加された駆動電圧によって放射状に光を発生させ、本実施例においてランプ１３５は、円柱形状の冷陰極線管ランプを含む。
【００３１】
ランプ１３５はランプカバー１３４の内部に収納され、ランプ１３５から放射状に発生した光は、第１光反射面１３１、第２光反射面１３２、及び第３光反射面１３３で反射された後、第３光反射面１３３と向かい合う位置に出射される。
ランプ１３５をランプカバー１３４の指定された位置に固定させるために、ランプ１３５はランプホルダー１３６に固定されることができる。ランプホルダー１３６は直六面体形状を有し、ランプホルダー１３６にはランプ１３５が挿入されるランプ結合孔１３５ａが形成されている。ランプ１３５を固定するランプホルダー１３６はランプカバー１３４に固定される。
【００３２】
図７を更に参照すると、収納容器１１０の収納空間１１２ａには、ランプ１３５から発生した光の光学特性を変更させる光学モジュール１４０が配置される。光学モジュール１４０は、反射板１４２、導光板１４４、及び光学シート類１４６を含むことができる。
反射板１４２は、収納容器１１０の底面１１２に配置され、反射板１４２の上面にはランプカバー１３４から出射された光の光学分布及び光の進行方向を変更させる直六面体形状の導光板１４４が配置される。導光板１４４の上面には、導光板１４４から出射された光を拡散及び集光する光学シート類１４６が配置される。
【００３３】
一方、前述した収納容器１１０、モールドフレーム１２０、及びランプアセンブリ１３０を互いに堅固に締結するために、収納容器１１０、モールドフレーム１２０、及びランプアセンブリ１３０には締結部がそれぞれ形成され、収納容器１１０、モールドフレーム１２０、及びランプアセンブリ１３０は、締結部材１７０によって互いに結合される。
図１１は、図７のII1−II2に沿って切断した断面図である。
【００３４】
図７及び図１１を参照すると、本実施例において、ランプアセンブリ１３０に形成される締結部は、モールドフレーム１２０の第２面１２４と向かい合うランプカバー１３４の第２光反射面１３２に形成される。好ましく、ランプアセンブリ１３０の締結部は、ランプカバー１３４のランプホルダー１３６の周辺に形成された第１結合孔１３２ａである。
又、モールドフレーム１２０に形成される締結部は、ランプカバー１３４の第１結合孔１３２ａと向かい合うモールドフレーム１２０の第２面１２４に形成される。好ましく、モールドフレーム１２０に形成される締結部は、第１結合孔１３２ａと向かい合う位置に形成された第２結合孔１２４ｃである。
【００３５】
又、収納容器１１０に形成される締結部は底面１１２に形成される。収納容器１１０に形成された締結部は、締結ボス１１２ｃで収納容器１１０の底面１１２から第１結合孔１３２ａが形成されたランプカバー１３４の第２光反射面１３２まで延長される。ランプカバー１３４の第２光反射面１３２に接触された締結ボス１１２ｃの端部には、第１及び第２結合孔１３２ａ、１２４ｃと向かい合う第３結合孔１１２ｄが形成される。
【００３６】
図１２は、図１１を組立した状態の断面図である。
図１２を参照すると、このように、ランプアセンブリ１３０のランプカバー１３４の第２光反射面１３２に形成された第１結合孔１３２ａ、モールドフレーム１２０の第２面１２４に形成された第２結合孔１２４ｃ、収納容器１１０の底面１１２から突出された締結ボス１１２ｃに形成された第３結合孔１１２ｄには、締結部材１７０である締結ねじが順序に結合される。締結部材１７０によってモールドフレーム１２０、ランプアセンブリ１３０、及び収納容器１１０は、順序に堅固に締結される。
【００３７】
以上で説明したように、収納容器１１０の締結ボス１１２ｃの第３結合孔１１２ｄ、ランプカバー１３４の第１結合孔１３２ａ、及びモールドフレーム１２０の第２結合孔１２４ｃは、収納容器、ランプアセンブリ、及びモールドフレームを組み合わせた場合、それらの位置が揃うように形成されている。また、ランプカバー１３４が収納容器１１０の第１、第３側壁１１３、１１５と切開部１１４ａ、１１６ａに形成された締結ボス１１２ｃとの間に嵌め込まれる。さらに、それらがモールドフレーム１２０の第１面１２２に嵌め込まれる。そして、収納容器１１０の締結ボス１１２ｃの第３結合孔１１２ｄ、ランプカバー１３４の第１結合孔１３２ａ、及びモールドフレーム１２０の第２結合孔１２４ｃを貫通するねじのような締結部材によって締結することにより、収納容器、ランプアセンブリ、及びモールドフレームを互いに固定することができる。このように部材が互いに嵌め込まれつつ共通の孔により締結される構成とすることで、バックライトアセンブリ及び表示装置の組立工程数及び組立に所要される時間を大きく短縮させることができる長所を有する。
【００３８】
（実施例３）
図１３は、本発明の第３実施例による表示装置の分解斜視図である。図１４は、図１３に示された表示装置のうち、収納容器を示す斜視図である。
図１３及び図１４を参照すると、表示装置３００は、バックライトアセンブリ１００及び表示パネル２００を含む。
【００３９】
バックライトアセンブリ２００は、収納容器１１０、モールドフレーム１２０、ランプアセンブリ１３０、光学モジュール１４０、収納容器１１０とモールドフレーム１２０とランプアセンブリ１３０にそれぞれ形成された締結部及び締結部材１７０を含む。
収納容器１１０は、底面１１２及び第１乃至第４側壁１１３、１１４、１１５、１１６を含む。底面１１２は、例えば、直六面体プレート形状を有する。第１乃至第４側壁１１３、１１４、１１５、１１６は、底面１１２のエッジから延長及び／又は底面１１２のエッジに配置される。第１乃至第４側壁１１３、１１４、１１５、１１６によって底面１１２の上部には、収納空間１１２ａが形成される。
【００４０】
本実施例において、互いに向かい合う第２側壁１１４及び第４側壁１１６の一部は切開され、第２側壁１１４及び第４側壁１１６から切開された切開部１１４ａ、１１６ａは収納空間１１２ａ側に折曲される。この際、切開部１１４ａ、１１６ａは、ほぼ第２側壁１１４及び第４側壁１１６に対して直角に折曲される。収納容器１１０に形成された切開部１１４ａ、１１６ａは、後述される光学部材１４０が指定された位置から離脱しないようにする役割を果たす。
【００４１】
図１５は、図１３のモールドフレームの背面図である。
図１３及び図１５を参照すると、モールドフレーム１２０は、収納容器１１０に結合される。モールドフレーム１２０は、第１面１２２及び第２面１２４を含む。
第１面１２２は、例えば、収納容器１１０の第１乃至第４側壁１１３、１１４、１１５、１１６の外側面にそれぞれ結合される。第１面１２２は、収納容器１１０の第１乃至第４側壁１１３、１１４、１１５、１１６と結合するためのフックを更に含むことができる。第２面１２４は、収納容器１１０の底面１１２と向かい合うように第１面１２２から収納容器１１０の底面１１２と平行な方向に延長される。第２面１２４は、内部に開口１２４ｂが形成され、従って、第２面１２４は、開口１２４ｂを有する四角フレーム形状を有する。
【００４２】
図１６は、図１３のランプアセンブリを示す斜視図である。
図１３及び図１６を参照すると、ランプアセンブリ１３０は、ランプカバー１３４及びランプ１３５を含む。好ましく、ランプアセンブリ１３０は、ランプホルダー１３６を選択的に更に含むことができる。
ランプカバー１３４は、収納容器１１０の収納空間１１２ａに配置され、ランプ１３５から放射状に発生した光を集光して一側方向に出射する。
【００４３】
本実施例において、ランプカバー１３５は、第１光反射面１３１、第２光反射面１３２、及び第３光反射面１３３を含む。
第１光反射面１３１は、プレート形状に収納容器１１０の底面１１２と平行に配置され、第２光反射面１３２はモールドフレーム１２０の第２面１２４と平行に配置され、第３光反射面１３３は収納容器１１０の第１及び／又は第３側面１１３、１１５と平行に配置される。第３光反射面１３３は、収納容器１１０の第１及び第３側面１１３、１１５と接触され、第１及び第２光反射面１３１、１３２を互いに連結させる。
【００４４】
本実施例において、第１光反射面１３１の幅Ｗ１は、第２光反射面１３２の幅Ｗ２より広く形成される。
ランプアセンブリ１３０のランプ１３５は、外部から印加された駆動電圧によって放射状に光を発生させ、本実施例においてランプ１３５は、円柱形状の冷陰極線管ランプを含む。
【００４５】
ランプ１３５はランプカバー１３４の内部に収納され、ランプ１３５から放射状に発生した光は、第１光反射面１３１、第２光反射面１３２、及び第３光反射面１３３で反射された後、第３光反射面１３３と向かい合う位置に出射される。
ランプ１３５をランプカバー１３４の指定された位置に固定させるために、ランプ１３５はランプホルダー１３６に固定されることができる。ランプホルダー１３６は直六面体形状を有し、ランプホルダー１３６にはランプ１３５が挿入されるランプ結合孔１３５ａが形成されている。ランプ１３５を固定するランプホルダー１３６はランプカバー１３４に固定される。
【００４６】
図１３を更に参照すると、収納容器１１０の収納空間１１２ａには、ランプ１３５から発生した光の光学特性を変更させる光学モジュール１４０が配置される。光学モジュール１４０は、反射板１４２、導光板１４４、及び光学シート類１４６を含むことができる。
反射板１４２は、収納容器１１０の底面１１２上に配置され、反射板１４２の上面にはランプカバー１３４から出射された光の光学分布及び光の進行方向を変更させる直六面体形状の導光板１４４が配置される。導光板１４４の上面には、導光板１４４から出射された光を拡散及び集光する光学シート類１４６が配置される。
【００４７】
一方、前述した収納容器１１０、モールドフレーム１２０、及びランプアセンブリ１３０を互いに堅固に締結するために、収納容器１１０、モールドフレーム１２０、及びランプアセンブリ１３０には締結部がそれぞれ形成され、収納容器１１０、モールドフレーム１２０、及びランプアセンブリ１３０は、締結部に締結される締結部材１７０によって互いに結合される。
【００４８】
図１７は、図１３のIII1−III2に沿って切断した断面図である。
図１３及び図１７を参照すると、本実施例において、ランプアセンブリ１３０に形成される締結部は、収納容器１１０の底面１１２と向かい合うランプカバー１３４の第１光反射面１３１に形成される。好ましく、ランプアセンブリ１３０の締結部は、ランプカバー１３４のランプホルダー１３６の周辺に形成された第１結合孔１３１ａである。
【００４９】
又、収納容器１１０に形成される締結部は、ランプカバー１３４の第１結合孔１３１ａと向かい合う収納容器１１０の底面１１２に形成される。好ましく、収納容器１１０に形成される締結部は、第１結合孔１３１ａと向かい合う位置に形成された第２結合孔１１２ｂである。
又、モールドフレーム１２０に形成される締結部は第２面１２４に形成される。モールドフレーム１２０に形成された締結部は、締結ボス１２４ａで第２面１２４から第１結合孔１３１ａが形成されたランプカバー１３４の第１光反射面１３１まで延長される。ランプカバー１３４の第１光反射面１３１に接触された締結ボス１２４ａの端部には、第１及び第２結合孔１３１ａ、１１２ｂと向かい合う第３結合孔１２４ｂが形成される。
【００５０】
図１８は、図１７を組立した状態の断面図である。
図１８を参照すると、このように、ランプアセンブリ１３０のランプカバー１３４の第１光反射面１３１に形成された第１結合孔１３１ａ、収納容器１１０に形成された第２結合孔１１２ｂ、モールドフレーム１２０の締結ボス１２４ａに形成された第３結合孔１２４ｂには、締結部材１７０である締結ねじが結合される。締結部材１７０によって収納容器１１０、ランプアセンブリ１３０、及びモールドフレーム１２０は、順序に堅固に締結される。
【００５１】
表示パネル２００は、第１基板２１０、第２基板２２０、及び第１及び第２基板２１０、２２０の間に介在された液晶層２３０を含む。
第１基板２１０は、第１方向に延長された複数個の第１信号線２１１、第１方向とほぼ直交する第２方向に延長された複数個の第２信号線２１２を含む。
第１信号線２１１及び第２信号線２１２の交差点には、薄膜トランジスタが配置される。薄膜トランジスタは、ゲート電極、チャンネル層、ソース電極、及びドレイン電極を含む。ゲート電極は第１信号線２１１に連結され、ソース電極は第２信号線２１２に連結される。チャンネル層は、ゲート電極の上部にゲート電極と絶縁された状態で配置され、チャンネル層にはソース電極及びドレイン電極が互いに離隔して配置される。
【００５２】
各第１信号線２１１及び第２信号線２１２によって囲まれた領域には、画素電極が形成される。画素電極は、透明で導電性であるアモルファス酸化スズインジウム薄膜（ａ−ＩＴＯ）、酸化スズインジウム薄膜（ＩＴＯ）、酸化亜鉛インジウム薄膜（ＩＺＯ）等をパターニングして形成される。画素電極は、薄膜トランジスタのドレイン電極に連結される。
【００５３】
第２基板２２０は第１基板２１０と向かい合い、第２基板２２０には各画素電極と向かい合うレッドカラーフィルター、グリーンカラーフィルター、及びブルーカラーフィルターを含むカラーフィルターが配置され、カラーフィルターの上面には、第２基板２２０の全面積にかけて透明で導電性である共通電極が配置される。
液晶層２３０は、第１基板２１０の画素電極及び第２基板２２０の共通電極の間に介在される。
【００５４】
実施例１と同様に部材が互いに嵌め込まれつつ共通の孔により締結される構成とすることで、バックライトアセンブリ及び表示装置の組立工程数及び組立に所要される時間を大きく短縮させることができる長所を有する。
（実施例４）
図１９は、本発明の第４実施例による表示装置の分解斜視図である。図２０は、図１９に図示された表示装置のうち、収納容器を示す斜視図である。
【００５５】
図１９及び図２０を参照すると、表示装置３００は、バックライトアセンブリ１００及び表示パネル２００を含む。
バックライトアセンブリ１００は、収納容器１１０、モールドフレーム１２０、ランプアセンブリ１３０、光学モジュール１４０、収納容器１１０とモールドフレーム１２０とランプアセンブリ１３０にそれぞれ形成された締結部及び締結部材を含む。
【００５６】
収納容器１１０は、底面１１２及び第１乃至第４側壁１１３、１１４、１１５、１１６を含む。底面１１２は、例えば、直六面体プレート形状を有する。第１乃至第４側壁１１３、１１４、１１５、１１６は、底面１１２のエッジから延長及び／又は底面１１２のエッジに配置される。第１乃至第４側壁１１３、１１４、１１５、１１６によって底面１１２の上部には、収納空間１１２ａが形成される。
【００５７】
本実施例において、互いに向かい合う第２側壁１１４及び第４側壁１１６の一部は切開され、第２側壁１１４及び第４側壁１１６から切開された切開部１１４ａ、１１６ａは収納空間１１２ａ側に折曲される。この際、切開部１１４ａ、１１６ａは、ほぼ第２側壁１１４及び第４側壁１１６に対して直角で折曲される。収納容器１１０に形成された切開部１１４ａ、１１６ａは、後述される光学部材１４０が指定された位置から離脱しないようにする役割を果たす。
【００５８】
図２１は、図１９のモールドフレームの背面図である。
図１９及び図２１を参照すると、モールドフレーム１２０は収納容器１１０に結合される。モールドフレーム１２０は、第１面１２２及び第２面１２４で構成される。
第１面１２２は、例えば、収納容器１１０の第１乃至第４側壁１１３、１１４、１１５、１１６の外側面にそれぞれ結合される。第１面１２２は、収納容器１１０の第１乃至第４側壁１１３、１１４、１１５、１１６と結合するためのフックを更に含むことができる。第２面１２４は、収納容器１１０の底面１１２と向かい合うように、第１面１２２から収納容器１１０の底面１１２と平行な方向に延長される。第２面１２４は内部に開口１２２ａが形成され、従って、第２面１２４は開口１２２ａを有する四角フレーム形状を有する。
【００５９】
図２２は、図１９のランプアセンブリを示す斜視図である。
図１９及び図２２を参照すると、ランプアセンブリ１３０は、ランプカバー１３４及びランプ１３５を含む。好ましく、ランプアセンブリ１３０は、ランプホルダー１３６を選択的に更に含むことができる。
ランプカバー１３４は、収納容器１１０の収納空間１１２ａに配置され、ランプ１３５から放射状に発生した光を集光して一側方向に出射する。
【００６０】
本実施例において、ランプカバー１３５は、第１光反射面１３１、第２光反射面１３２、及び第３光反射面１３３を含む。
第１光反射面１３１は、プレート形状に収納容器１１０の底面１１２と平行に配置され、第２光反射面１３２はモールドフレーム１２０の第２面１２４と平行に配置され、第３光反射面１３３は収納容器１１０の第１及び第２側面１１３、１１５と平行に配置される。第３光反射面１３３は、収納容器１１０の第１及び第２側面１１３、１１５と接触され、第１及び第２光反射面１３１、１３２を互いに連結させる。
【００６１】
本実施例において、第１光反射面１３１の幅Ｗ１は、第２光反射面１３２の幅Ｗ２より狭く形成される。
ランプアセンブリ１３０のランプ１３５は、外部から印加された駆動電圧によって放射状に光を発生させ、本実施例においてランプ１３５は円柱形状の冷陰極線管ランプを含む。
【００６２】
ランプ１３５はランプカバー１３４の内部に収納され、ランプ１３５から放射状に発生した光は、第１光反射面１３１、第２光反射面１３２、及び第３光反射面１３３で反射された後、第３光反射面１３３と向かい合う位置に出射される。
ランプ１３５をランプカバー１３４の指定された位置に固定させるために、ランプ１３５はランプホルダー１３６に固定されることができる。ランプホルダー１３６は、例えば、直六面体形状を有し、ランプホルダー１３６にはランプ１３５が挿入されるランプ結合孔１３５ａが形成されている。ランプ１３５を固定するランプホルダー１３６はランプカバー１３４に固定される。
【００６３】
図１９を更に参照すると、収納容器１１０の収納空間１１２ａには、ランプ１３５から発生した光の光学特性を変更させる光学モジュール１４０が配置される。光学モジュール１４０は、反射板１４２、導光板１４４、及び光学シート類１４６を含むことができる。
反射板１４２は、収納容器１１０の底面１１２に配置され、反射板１４２の上面にはランプカバー１３４から出射された光の光学分布及び光の進行方向を変更させる直六面体形状の導光板１４４が配置される。導光板１４４の上面には、導光板１４４から出射された光を拡散及び集光する光学シート類１４６が配置される。
【００６４】
一方、前述した収納容器１１０、モールドフレーム１２０、及びランプアセンブリ１３０を互いに堅固に締結するために、収納容器１１０、モールドフレーム１２０、及びランプアセンブリ１３０には締結部がそれぞれ形成され、収納容器１１０、モールドフレーム１２０、及びランプアセンブリ１３０は、締結部材１７０によって互いに結合される。
図２３は、図１９のIV1−IV2に沿って切断した断面図である。
【００６５】
図１９及び図２３を参照すると、本実施例において、ランプアセンブリ１３０に形成される締結部は、モールドフレーム１２０の第２面１２４と向かい合うランプカバー１３４の第２光反射面１３２に形成される。好ましく、ランプアセンブリ１３０の締結部は、ランプカバー１３４のランプホルダー１３６の周辺に形成された第１結合孔１３２ａである。
【００６６】
又、モールドフレーム１２０に形成される締結部は、ランプカバー１３４の第１結合孔１３２ａと向かい合うモールドフレーム１２０の第２面１２４に形成される。好ましく、モールドフレーム１２０に形成される締結部は、第１結合孔１３２ａと向かい合う位置に形成された第２結合孔１２４ｃである。
又、収納容器１１０に形成される締結部は底面１１２に形成される。収納容器１１０に形成された締結部は、締結ボス１１２ｃで収納容器１１０の底面１１２から第１結合孔１３２ａが形成されたランプカバー１３４の第２光反射面１３２まで延長される。ランプカバー１３４の第２光反射面１３２に接触された締結ボス１１２ｃの端部には、第１及び第２結合孔１３２ａ、１２４ｃと向かい合う第３結合孔１１２ｄが形成される。
【００６７】
図２４は、図２３を組立した状態の断面図である。
図２４を参照すると、このように、ランプアセンブリ１３０のランプカバー１３４の第２光反射面１３２に形成された第１結合孔１３２ａ、モールドフレーム１２０の第２面１２４に形成された第２結合孔１２４ｃ、収納容器１１０の底面１１２から突出された締結ボス１１２ｃに形成された第３結合孔１１２ｄには、締結部材１７０である締結ねじが順序に結合される。締結部材１７０によってモールドフレーム１２０、ランプアセンブリ１３０、及び収納容器１１０は、順序に堅固に締結される。
【００６８】
表示パネル２００は、第１基板２１０、第２基板２２０、及び第１及び第２基板２１０、２２０の間に介在された液晶層２３０を含む。
第１基板２１０は、第１方向に延長された複数個の第１信号線２１１、第１方向とほぼ直交する第２方向に延長された複数個の第２信号線２１２を含む。
第１信号線２１１及び第２信号線２１２の交差点には、薄膜トランジスタが配置される。薄膜トランジスタは、ゲート電極、チャンネル層、ソース電極、及びドレイン電極を含む。ゲート電極は第１信号線２１１に連結され、ソース電極は第２信号線２１２に連結される。チャンネル層は、ゲート電極の上部にゲート電極と絶縁された状態で配置され、チャンネル層にはソース電極及びドレイン電極が互いに離隔して配置される。
【００６９】
各第１信号線２１１及び第２信号線２１２によって囲まれた領域には、画素電極が形成される。画素電極は、透明で導電性であるアモルファス酸化スズインジウム薄膜（ａ−ＩＴＯ）、酸化スズインジウム薄膜（ＩＴＯ）、酸化亜鉛インジウム薄膜（ＩＺＯ）等をパターニングして形成される。画素電極は、薄膜トランジスタのドレイン電極に連結される。
【００７０】
第２基板２２０は第１基板２１０と向かい合い、第２基板２２０には各画素電極と向かい合うレッドカラーフィルター、グリーンカラーフィルター、及びブルーカラーフィルターを含むカラーフィルターが配置され、カラーフィルターの上面には、第２基板２２０の全面積にかけて透明で導電性である共通電極が配置される。
液晶層２３０は、第１基板２１０の画素電極及び第２基板２２０の共通電極の間に介在される。
【００７１】
実施例２と同様に部材が互いに嵌め込まれつつ共通の孔により締結される構成とすることで、バックライトアセンブリ及び表示装置の組立工程数及び組立に所要される時間を大きく短縮させることができる長所を有する。
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００７２】
以上で説明したように、収納容器、ランプアセンブリ、及びモールドフレームにそれぞれ締結部を形成し、収納容器、ランプアセンブリ、及びモールドフレームに形成された締結部をねじのような締結部材によって締結することにより、バックライトアセンブリ及び表示装置の組立工程数及び組立に所要される時間を大きく短縮させることができる長所を有する。よって、効率の良いバックライトアセンブリ及び表示装置の製造に本発明を適用することができる。
【図面の簡単な説明】
【００７３】
【図１】本発明の第１実施例によるバックライトアセンブリの分解斜視図である。
【図２】図１の収納容器を示す斜視図である。
【図３】図１のモールドフレームの背面図である。
【図４】図１のランプアセンブリを示す斜視図である。
【図５】図１のI1−I2に沿って切断した断面図である。
【図６】図５を組立した状態の断面図である。
【図７】本発明の第２実施例によるバックライトアセンブリの分解斜視図である。
【図８】図７の収納容器を示す斜視図である。
【図９】図７のモールドフレームの背面図である。
【図１０】図７のランプアセンブリを示す斜視図である。
【図１１】図７のII1−II2に沿って切断した断面図である。
【図１２】図１１を組立した状態の断面図である。
【図１３】本発明の第３実施例による表示装置の分解斜視図である。
【図１４】図１３に示された表示装置のうち、収納容器を示す斜視図である。
【図１５】図１３のモールドフレームの背面図である。
【図１６】図１３のランプアセンブリを示す斜視図である。
【図１７】図１３のIII1−III2に沿って切断した断面図である。
【図１８】図１７を組立した状態の断面図である。
【図１９】本発明の第４実施例による表示装置の分解斜視図である。
【図２０】図１９に示された表示装置のうち、収納容器を示す斜視図である。
【図２１】図１９のモールドフレームの背面図である。
【図２２】図１９のランプアセンブリを示す斜視図である。
【図２３】図１９のIV1−IV2に沿って切断した断面図である。
【図２４】図２３を組立した状態の断面図である。
【符号の説明】
【００７４】
１００    バックライトアセンブリ
１１０    収納容器
１２０    モールドフレーム
１３０    ランプアセンブリ
１３４    ランプカバー
１３５    ランプ
１３６    ランプホルダー
１４０    光学モジュール
１４４    導光板
１７０    締結部材
【図１】
2006004931.tif 000003
【図２】
2006004931.tif 000004
【図３】
2006004931.tif 000005
【図４】
2006004931.tif 000006
【図５】
2006004931.tif 000007
【図６】
2006004931.tif 000008
【図７】
2006004931.tif 000009
【図８】
2006004931.tif 000010
【図９】
2006004931.tif 000011
【図１０】
2006004931.tif 000012
【図１１】
2006004931.tif 000013
【図１２】
2006004931.tif 000014
【図１３】
2006004931.tif 000015
【図１４】
2006004931.tif 000016
【図１５】
2006004931.tif 000017
【図１６】
2006004931.tif 000018
【図１７】
2006004931.tif 000019
【図１８】
2006004931.tif 000020
【図１９】
2006004931.tif 000021
【図２０】
2006004931.tif 000022
【図２１】
2006004931.tif 000023
【図２２】
2006004931.tif 000024
【図２３】
2006004931.tif 000025
【図２４】
2006004931.tif 000026